(57)【要約】【課題】冷蔵冷凍車に搭載されている冷蔵庫内において、各積載商品が管理温度に保たれるように積荷の隙間スペースが冷凍装置による冷気の通路として確保されているかチェックするシステムの提供。【解決手段】冷蔵庫（１０）の長手方向の一方側端部（１）に複数の投光器（Ｌ１〜Ｌ４）を配設し、他方側端部（２）に前記投光器（Ｌ１〜Ｌ４）から到達する光量を計測する複数のセンサ（Ｓ１〜Ｓ５）を配設しており、それらのセンサ（Ｓ１〜Ｓ５）の計測値に基づき、前記冷気の通路が確保されているか否かを判定する判定手段（５）を設ける。【選択図】図１
2012117684.tif 000002
【特許請求の範囲】
【請求項１】
冷蔵冷凍車に搭載されている冷蔵庫、或いは冷蔵冷凍コンテナの内部の積荷の隙間スペースが冷凍装置による冷気の通路として確保されているか否かを検査するシステムであって、冷蔵庫内部の長手方向の一方側端部に複数の投光器を配設し、他方側端部に前記投光器から到達する光量を計測する複数の受光センサを配設しており、それらのセンサの計測値に基づき、前記冷気の通路が確保されているか否かを判定する判定手段を有することを特徴とする冷蔵庫内空間検査システム。
【請求項２】
前記判定手段は、前記投光器および受光センサに接続されており、受光センサによる受光光量と庫内の光通過断面積との関係を予め求めておき、積荷商品を管理温度に保つ庫内の冷気通路断面積から光通過断面積を求めてその限界値を閾値とし、受光センサによる計測値から光通過断面積を求めて前記閾値と比較し、閾値より低ければ注意信号を発する機能を有している請求項１に記載の冷蔵庫内空間検査システム。
【発明の詳細な説明】
【技術分野】
【０００１】
本発明は、冷蔵冷凍車、あるいは冷蔵冷凍コンテナの積荷商品を低温に保つための冷蔵庫内空間検査システムに関する。
【背景技術】
【０００２】
冷蔵冷凍車（或いは冷蔵冷凍コンテナ）において、冷蔵庫内では積荷商品の周囲の隙間スペースを通路として冷凍装置により冷気を行き渡らせ、商品を低温に保っている。しかし、庫内の積荷商品の積み方によっては、冷気の通路が狭められたり、あるいは塞がれたりして各積荷商品へ冷気が行き渡らず、商品の管理温度が確保できないことがある。
このような不具合が生じないような庫内の商品の積み方は、従来は、作業者の経験に頼っており、したがって、未経験者による作業であっても各商品の管理温度が保てるような積み方のチェック手段が求められている。
【０００３】
その他の従来技術として、車両用空調システムの冷凍装置における発光素子および受光素子による検出手段に関する技術（特許文献１参照）が提案されている。しかし、係る技術は冷媒の漏出検知に関するもので、上記冷蔵庫内商品の積み方をチェックするものではない。
【先行技術文献】
【特許文献】
【０００４】
【特許文献１】特開２００６−７８０９０号公報
【発明の概要】
【発明が解決しようとする課題】
【０００５】
本発明は上記の問題点に鑑みて、冷蔵冷凍車に搭載されている冷蔵庫（或いは冷蔵冷凍コンテナ）内において、各積載商品が管理温度に保たれるように積荷の隙間スペースが冷凍装置による冷気の通路として確保されているかを検査する冷蔵庫内空間検査システムの提供を目的としている。
【課題を解決するための手段】
【０００６】
本発明の冷蔵庫内空間検査システムは、冷蔵冷凍車に搭載されている冷蔵庫、或いは冷蔵冷凍コンテナ（１０）内部の積荷（３）の隙間スペースが冷凍装置（１１）による冷気の通路として確保されているか否かを検査する（チェックする）システムであって、冷蔵庫（１０）内部の長手方向の一方側端部（１）に複数の投光器（Ｌ１〜Ｌ４）を配設し、他方側端部（２）に前記投光器（Ｌ１〜Ｌ４）から到達する光量を計測する複数の受光センサ（Ｓ１〜Ｓ５）を配設しており、それらのセンサ（Ｓ１〜Ｓ５）の計測値に基づき、前記冷気の通路が確保されているか否かを判定する判定手段（５）を有することを特徴としている。
【０００７】
本発明において、前記判定手段（５）は、前記投光器（Ｌ１〜Ｌ４）および受光センサ（Ｓ１〜Ｓ５）に接続されており、受光センサ（Ｓ１〜Ｓ５）による受光光量と庫内の光の通過断面積との関係を予め求めておき、積荷商品（３）を管理温度に保つ庫内の冷気通路断面積から光通過断面積を求めてその限界値を閾値（Ｄ）とし、受光センサ（Ｓ１〜Ｓ５）による計測値から光通過断面積を求めて前記閾値（Ｄ）と比較し、閾値（Ｄ）より低ければ注意信号を発する機能を有しているのが好ましい。
【発明の効果】
【０００８】
本発明によれば、従来、作業者が経験に頼って行っていた冷気通路の確保を定量的に把握することができる。そして、冷気通路が確保されているか否かを定量的に把握した結果を、作業者に対してアドバイスすることができる。その結果、作業者の経験に頼っていた冷凍車搭載の冷蔵庫内空間に荷物を配置する作業を、経験がない、或いは、経験の浅い作業者であっても、円滑に行なうことが出来る。
また、このアドバイスにより、冷蔵庫内の各積荷商品に冷気が確実に当たり、各積荷商品を管理温度に保つことができる。
さらに、本発明によれば、冷蔵庫内の冷気通路の面積を計測しなくても、冷凍車搭載の冷蔵庫内空間に配置された荷物に冷気が当たるか否かを判定することが可能である。
【図面の簡単な説明】
【０００９】
【図１】本発明の実施形態を示す斜視図である。
【図２】冷蔵庫内の光の通過断面積と受光センサの受光光量の関係の一例を示す特性図である。
【図３】本発明の実施形態のブロック図である。
【図４】本発明による冷蔵庫内空間検査の実行手順を示すフローチャートである。
【発明を実施するための形態】
【００１０】
以下、添付図面を参照して本発明の一実施形態について説明する。
図１において、符号１０は、冷蔵冷凍車に搭載された冷蔵庫（或いは冷蔵冷凍コンテナ）を示し、その内部の長手方向一方側の端部１には、上方に冷凍装置１１の冷気噴出口１１ａが設けられている。そして、その噴出口１１ａの下方には複数の受光センサＳ１〜Ｓ５が配設されている。また、庫内他方側の端部２には複数の投光器Ｌ１〜Ｌ４が設けられている。
ここで、符号３は、積荷商品を示し、図示の範囲内に、複数の適宜大きさの商品が、適宜の隙間スペースを有して積み上げられている。
【００１１】
前記投光器Ｌ１〜Ｌ４および受光センサＳ１〜Ｓ５は判定手段５に接続されており、その判定手段５は前記商品の積み方が適切で、冷気通路が確保されて各商品の管理温度が保たれているか判断し、適切でないと判定した場合は警報を発する機能を有している。
【００１２】
上記適否の判定には、まず、図２に示すように、庫内の光の通過断面積（横軸）対センサＳ１〜Ｓ５の受光量を合計した光量（縦軸：受光センサー光量）との関係を予め求めておく。そして、各商品を適切な管理温度に保つことができる冷気通路断面積からそれに対応する光の通過断面積を推測して閾値Ｄとし、受光センサＳ１〜Ｓ４の計測値から前記関係に基づき光の通過断面積を求め、閾値Ｄと比較して判定手段５で判定する。
【００１３】
図３は、前記判定手段５の構成の一例を示すブロック図である。
符号６の記憶手段は、冷気通路断面積と光の通過断面積を求める冷気対光通路断面積変換手段６ａと閾値記憶手段６ｂとを有しており、商品に対応する管理温度を入力して必要な冷気通路断面積から光通過断面積に変換し閾値記憶手段６ｂにその閾値Ｄを記憶する。
一方、判定手段５では、投光器点灯手段５ａが計測開始の信号入力によって投光器Ｌ１〜Ｌ４を点灯する。次に、受光量計測手段５ｂは、投光器点灯の信号を受けると受光センサＳ１〜Ｓ５の計測値を受光量対光通過断面積変換手段５ｃに送り、変換された光通過断面積（図２参照）の値が、判定手段５ｄにおいて前記光通過断面積を閾値Ｄと比較され、閾値Ｄより大ならばＯＫとし、小であれば、警告手段５ｆへ出力する。
【００１４】
また、本システムによる作業手順を図４に示す。
まず、積荷商品に対する管理温度を決定し入力すると閾値Ｄが決定される（ステップＳｔ１）。そして、庫内空間検査開始の信号を送る（ステップＳｔ２）と、投光器Ｌ１〜Ｌ４が点灯され（ステップＳｔ３）、受光センサＳ１〜Ｓ５が光量を計測（ステップＳｔ４）する。
判定手段５において、受光センサＳ１〜Ｓ５が計測した光量から光通過断面積を求める（ステップＳｔ５）。そして、求めた光通過断面積を閾値Ｄと比較し（ステップＳｔ６）、閾値より大きければ「ＯＫ」と判断し（ステップＳｔ７）、小さければ「ＮＧ」と判断して警報を発する（ステップＳｔ８）。
そして、検査を終了する。
【００１５】
図示の実施形態はあくまでも例示であり、本発明の技術的範囲を限定する趣旨の記述ではない旨を付記する。
【符号の説明】
【００１６】
１・・・冷蔵庫の一方の端部
２・・・冷蔵庫の他方の端部
５・・・判定手段
６・・・記憶手段
１０・・・冷蔵庫
１１・・・冷凍装置
Ｌ１〜Ｌ４・・・投光器
Ｓ１〜Ｓ５・・・受光センサ
【図１】
2012117684.tif 000003
【図２】
2012117684.tif 000004
【図３】
2012117684.tif 000005
【図４】
2012117684.tif 000006